(57)【要約】【課題】芯材廃止による軽量化を図りつつも適度な剛性感もしくは真直性保持感を具備させて、治具を用いることなく素手で取付作業を行えるようにし、もって取付作業性を改善したウエザーストリップを提供する。【解決手段】熱可塑性エラストマーまたはゴムにて形成され、例えば車体側開口部周縁に装着されるものである。車外側壁部５と底壁部６とで断面略Ｌ字状をなしていて、少なくとも車外側壁部５が相手側のフランジ部に固定される取付基部３と、取付基部３に突出形成されたシールリップ４と、取付基部３のうち少なくとも車外側壁部５の長手方向に沿って設けられた補強材８とを備える。車外側壁部５の長手方向での部位に応じて補強材８の幅寸法Ｗを変化させてある。【選択図】図３
2010228571.tif 000002
【特許請求の範囲】
【請求項１】
熱可塑性エラストマーまたはゴムにて形成され、車体側開口部周縁または車体側開口部開閉部材に装着される自動車用ウエザーストリップにおいて、
車外側壁部と底壁部とで断面略Ｌ字状をなしていて、且つそのＬ字状の沿面部側にて上記車体側開口部周縁または車体側開口部開閉部材のフランジ部を受容するように少なくとも車外側壁部が当該フランジ部に固定される取付基部と、
この取付基部の反沿面部側に突出形成されたシール部と、
上記取付基部のうち少なくとも車外側壁部の長手方向に沿って設けられた補強材と、
を備えていて、
上記車外側壁部の長手方向での部位に応じて補強材の幅寸法を変化させてあることを特徴とする自動車用ウエザーストリップ。
【請求項２】
上記補強材は、熱可塑性樹脂、または取付基部を構成する材料よりも硬質の熱可塑性エラストマーもしくはゴムにて形成されていることを特徴とする請求項１に記載の自動車用ウエザーストリップ。
【請求項３】
上記車体側開口部周縁または車体側開口部開閉部材に対して自動車用ウエザーストリップがループ状に装着されるようになっていて、
そのループの曲率半径が大きい部位と当該部位よりも曲率半径が小さい部位とを比較した場合に、前者では後者よりも上記補強材の幅寸法を大きく設定してあることを特徴とする請求項１または２に記載の自動車用ウエザーストリップ。
【請求項４】
上記補強材は、取付基部の長手方向に直交する断面において、車外側壁部のうち底壁部に近い部分を始端位置としその底壁部から遠い部分を終端位置としていてそれらの始終端位置間距離である幅寸法をもって当該車外側壁部の幅方向に延在していて、
上記補強材の幅寸法の大小にかかわらず上記始端位置が一定しているのに対して、上記終端位置を変化させることで当該補強材の幅寸法を変化させてあることを特徴とする請求項３に記載の自動車用ウエザーストリップ。
【発明の詳細な説明】
【技術分野】
【０００１】
本発明は、自動車用ウエザーストリップ、例えば車体側開口部周縁あるいは車体側開口部開閉部材であるドアの周縁に装着されて両者間をシールするウエザーストリップに関するものである。
【背景技術】
【０００２】
自動車の車体側開口部周縁に装着されるウエザーストリップ（このタイプのものをオープニングトリムまたはオープニングトリムウエザーストリップと称することもある。）の軽量化を目的として、例えば特許文献１に記載されているように、断面略Ｕ字状のウエルトによるフランジ保持構造を芯材とともに廃止し、代わって両面接着テープにて車体側のフランジ部に接着固定するようにした構造のものが提案されている。
【０００３】
また、特許文献２には、特許文献１と同様のウエザーストリップの構造のほか、専用のウエザーストリップ取付治具を用いた取付方法が開示されている。
【先行技術文献】
【特許文献】
【０００４】
【特許文献１】特開２００２−１２７８４１号公報
【特許文献２】特開２００７−２５３７９４号公報
【発明の概要】
【発明が解決しようとする課題】
【０００５】
しかしながら、特許文献１に記載のものでは、断面略Ｕ字状のウエルトを芯材とともに廃止したことによって剛性または真直性保持感が極端に低下し、正しい位置に貼り付けるためには相応の時間と習熟が必要となり、取付作業性の上でなおも改善の余地を残している。
【０００６】
特に芯材を廃止したことによってウエザーストリップが非常に柔軟であることから、コーナー部への追従性は良好である反面、直線状の部位に取り付ける際には剛性が低く曲がりやすいものとなり、蛇行した状態で取り付けてしまう可能性がある。
【０００７】
また、特許文献２に記載のものでは、治具の使用によって直線部では蛇行することなく真っ直ぐに貼り付けることができるようになるものの、治具を支えるために片手が占有されてしまい、作業性向上の上でなおも課題を残している。
【０００８】
本発明はこのような課題に着目してなされたものであり、芯材廃止による軽量化を図りつつも適度な剛性感もしくは真直性保持感を具備させて、治具を用いることなく素手で取付作業を行えるようにし、もって取付作業性を改善した自動車用ウエザーストリップを提供するものである。
【課題を解決するための手段】
【０００９】
請求項１に記載の発明は、熱可塑性エラストマーまたはゴムにて形成され、車体側開口部周縁または車体側開口部開閉部材に装着される自動車用ウエザーストリップにおいて、車外側壁部と底壁部とで断面略Ｌ字状をなしていて、且つそのＬ字状の沿面部側にて上記車体側開口部周縁または車体側開口部開閉部材のフランジ部を受容するように少なくとも車外側壁部が当該フランジ部に固定される取付基部と、この取付基部の反沿面部側に突出形成されたシール部と、上記取付基部のうち少なくとも車外側壁部の長手方向に沿って設けられた補強材と、を備えている。
【００１０】
そして、上記車外側壁部の長手方向での部位に応じて補強材の幅寸法を変化させてあることを特徴とする。
【００１１】
この場合において、車体側開口部周縁を例えばドア開口部周縁とすれば、車体側開口部開閉部材はドアということになる。また、上記補強材は、請求項２に記載のように、熱可塑性樹脂、または取付基部を構成する材料よりも硬質の熱可塑性エラストマーもしくはゴムにて形成されているものとする。
【００１２】
さらに、請求項３に記載のように、上記車体側開口部周縁または車体側開口部開閉部材に対して自動車用ウエザーストリップがループ状に装着されるようになっていて、そのループの曲率半径が大きい部位と当該部位よりも曲率半径が小さい部位とを比較した場合に、前者では後者よりも上記補強材の幅寸法を大きく設定してあることが望ましい。
【００１３】
より具体的には、請求項４に記載のように、上記補強材は、取付基部の長手方向に直交する断面において、車外側壁部のうち底壁部に近い部分を始端位置としその底壁部から遠い部分を終端位置としていてそれらの始終端位置間距離である幅寸法をもって当該車外側壁部の幅方向に延在していて、上記補強材の幅寸法の大小にかかわらず上記始端位置が一定しているのに対して、上記終端位置を変化させることで当該補強材の幅寸法を変化させてあるものとする。
【００１４】
したがって、少なくとも請求項１に記載の発明では、断面略Ｕ字状のウエルト保持構造ではないものの、補強材があることによって相応の剛性または真直性保持感が得られるようになる。しかもその補強材の幅寸法が長手方向での部位に応じて変化しているため、補強材があることによってもたらされる剛性または真直性保持感と、長手方向の特定の部位によっては要求されることになる屈曲性または柔軟性とを両立させることができるようになる。
【００１５】
例えば、車体側開口部周縁のコーナー部等においてウエザーストリップを大きく曲げて当該コーナー部に追従させる必要がある場合には、局部的に補強材の幅寸法を小さくしておくことで必要な柔軟性を確保できる。他方、車体側開口部周縁の直線状の部位に追従させる場合には、相対的に補強材の幅寸法を大きくしておくことで、ウエザーストリップがむやみに屈曲せずに必要な剛性または真直性保持感が確保できることになる。
【発明の効果】
【００１６】
請求項１，２に記載の発明によれば、芯材廃止による軽量化を図りつつも適度な剛性感もしくは真直性保持感を具備させて、屈曲性または柔軟性をも両立させることができるから、治具を用いることなく素手で取付作業を行えるようになり、取付作業性の改善とともに作業時間の短縮化が図れるようになる。
【００１７】
また、請求項３に記載の発明によれば、ウエザーストリップを大きく曲げて当該コーナー部に追従させる必要がある場合には、局部的に補強材の幅寸法を小さくしておくことで必要な屈曲性または柔軟性を確保でき、他方、直線状の部位に追従させる場合には、相対的に補強材の幅寸法を大きくしておくことで、ウエザーストリップがむやみに屈曲せずに必要な剛性または真直性保持感が確保でき、取付作業性がきわめて良好なものとなる。
【００１８】
請求項４に記載に発明によれば、補強材の幅寸法を最小にしたとしても、その幅寸法が最小の補強材の位置は、例えば取付基部の底壁部側を内側をとしてウエザーストリップを曲げた場合の湾曲の中立軸の位置と近似したものとなる。そのため、上記曲げ（湾曲）の内側部分での長手方向での圧縮が緩和されることから、その曲げの内側部分のシール部に「しわ」が発生するのを未然に防止して、シール部のシール性向上に寄与することができる。
【図面の簡単な説明】
【００１９】
【図１】フロントドアが開いた状態の自動車の側面説明図。
【図２】本発明に係るウエザーストリップの第１の実施の形態を示す図で、図１のフロントドア開口部に適用されるウエザーストリップ単独での説明図。
【図３】図２のＡ−Ａ線に沿う拡大断面図。
【図４】図２のＢ−Ｂ線に沿う拡大断面図。
【図５】図２のＣ−Ｃ線に沿う拡大断面図。
【図６】図２のウエザーストリップに埋設される補強材単独での説明図。
【図７】図２に示したウエザーストリップをインサート成形法により成形するためのラインの説明図。
【図８】本発明に係るウエザーストリップの第２の実施の形態を示す図で、図２のＡ−Ａ線に相当する断面での拡大断面図。
【図９】本発明に係るウエザーストリップの第３の実施の形態を示す図で、図２のＡ−Ａ線に相当する断面での拡大断面図。
【図１０】図８に示したウエザーストリップを貼り合わせ成形法により成形する際の説明図。
【図１１】本発明に係るウエザーストリップの第４の実施の形態を示す図で、図２のＡ−Ａ線に相当する断面での拡大断面図。
【図１２】本発明に係るウエザーストリップの第５の実施の形態を示す図で、図２のＡ−Ａ線に相当する断面での拡大断面図。
【発明を実施するための形態】
【００２０】
図１〜７は本発明に係る自動車用ウエザーストリップのより具体的な第１の実施の形態を示し、ここでは図１，２に示すように自動車の車体側開口部であるフロントドア開口部Ｏｐの開口部周縁に装着されるウエザーストリップ１の例を示している。なお、ウエザーストリップ１は後述するように基本的には熱可塑性エラストマーまたはゴムにて形成される。
【００２１】
図３はウエザーストリップ１の一般部である直線状の下辺部１ａの断面、すなわち図２のＡ−Ａ線に沿う拡大断面図を示しており、図１，２のほか図３に示すように、自動車の車体Ｂのフロントドア開口部Ｏｐは車体側開口部開閉部材であるフロントドアＤにより開閉される。フロントドア開口部Ｏｐの開口縁は、図３に示すように、車体パネルであるアウタパネルＰａやインナパネルＰｂ同士の溶接による端部重合部をもって形成されていて、この端部重合部がフランジ部Ｆとなっている。そして、このフランジ部Ｆを取付部として図２のような閉ループ状のウエザーストリップ１が装着されて、ドア閉時にはこのウエザーストリップ１の介在により車室内外がシールされることになる。
【００２２】
ウエザーストリップ１は、例えば後述する多層（多重）押出成形法によりほぼ均一断面形状のものとして長尺な直線状に成形される。この直線状に成形された一本のウエザーストリップ１を、例えば図２に示すように双方の端末部を突き合わせるようにして接続部２にて接続することで同図のような閉ループ状のものとなる。なお、上記接続部２による接続に代えて、車体に装着する直前に双方の端末部同士を接着剤で接着して閉ループ状のものとすることも可能である。いずれの場合であっても、こうしてウエザーストリップ１を予め閉ループ状のものとしておくことにより、フランジ部Ｆへの装着が容易となる。
【００２３】
ただし、ウエザーストリップ１を予め閉ループ状のものとすることなく、直線状のウエザーストリップ１の一方の端末部から順次フランジ部Ｆに装着して、装着が完了した時点で他方の端末部を上記一方の端末部と突き合わせるようにすることもまた可能ではある。
【００２４】
ウエザーストリップ１は、図３に示すように、大きく分けて、フランジ部Ｆに取り付けられるトリム部としての断面略Ｌ字状の取付基部３と、取付基部３と一体に突出形成されて、フランジ部ＦとフロントドアＤとの間をシールするシール部としての中空状のシールリップ４とから構成される。
【００２５】
取付基部３は、フランジ部Ｆとほぼ平行な所定厚みの平板状の車外側壁部５と、その車外側壁部５の一端から延設した底壁部６とで、上記のような断面Ｌ字状形状に形成されているもの。車外側壁部５の反フランジ部Ｆ側にシールリップ４が一体に突出形成されているとともに、車外側壁部５の他端には例えば止水のための補助リップ７が突出形成されている。さらに、取付基部３の車外側壁部５には所定厚みの平板状の補強材８が埋設されている。そして、車外側壁部５と底壁部６とで形成されるＬ字状の沿面部にてフランジ部Ｆを受容することになる。
【００２６】
ここで、図３では、底壁部６が反シールリップ４側にカバーリップ９として大きく延長形成されていて、カバーリップ９は内装トリム部品１０の端末部を隠蔽している。当然のことながら、カバーリップ９としての機能を必要としない場合には、底壁部６は図３のものより短くて良く、要は取付基部３として上記のようにフランジ部Ｆを受容し得るだけの断面略Ｌ字状に形成されていれば良い。
【００２７】
上記車外側壁部５のうちその車内側面には予め幅広の両面接着テープ１１が貼着されていて、ウエザーストリップ１の取付基部３は両面接着テープ１１をもってフランジ部Ｆの車外側側面に接着固定される。なお、取付基部３をフランジ部Ｆに接着固定するまでは両面接着テープ１１の一方の接着面は剥離紙にて保護されている。
【００２８】
このように、従来の断面Ｕ字状のウエルト保持構造に代えて、接着面積の大きな両面接着テープ１１による接着方式とすることにより、芯材を含む断面略Ｕ字状のウエルトの廃止による軽量化が図れることはもちろんのこと、必要十分な取付強度を確保することができる。
【００２９】
上記取付基部３の車外側壁部５に補強材８が埋設されていることは先に述べたとおりである。図４は図２のＢ−Ｂ線に沿う拡大断面図を、図５は図２のＣ−Ｃ線に沿う拡大断面図をそれぞれ示している。
【００３０】
これらの図３〜５から明らかなように、ウエザーストリップ１あるいは取付基部３としての断面形状あるいは輪郭形状は各部を通して均一形状ではあっても、取付基部３の車外側壁部５に埋設されている補強材８の断面形状または断面積、すなわち車外側壁部５の幅方向に延在している補強材８の幅寸法Ｗをウエザーストリップ１の長手方向の各部で相互に異ならせてある。
【００３１】
すなわち、図２，３のように、閉ループ状に接続されたウエザーストリップ１のうち曲率半径の最も大きな（曲率が最も小さな）直線部たる下辺部１ａでは、補強材８の幅寸法Ｗが最も大きくなるように設定してある。また、図２，５のように、閉ループ状に接続されたウエザーストリップ１のうち曲率半径の最も小さな（曲率が最も大きな）後側上部のコーナー部１ｂでは、補強材８の幅寸法Ｗが最も小さくなるように設定してある。さらに、図２，４のように、閉ループ状に接続されたウエザーストリップ１のうち下辺部１ａよりもわずかに湾曲していて且つその曲率半径が下辺部１ａとコーナー部１ｂとの中間の大きさの上辺部１ｃでは、補強材８の幅寸法Ｗも図３と図５との中間の大きさとなるように設定してある。
【００３２】
ここで、図６は上記取付基部３における車外側壁部５に埋設される補強材８の幅寸法Ｗの変化を示したもので、その補強材８の幅寸法Ｗは長手方向の各部位ごとに微妙に変化していて、図３〜５は図２または図６のＡ−Ａ線、Ｂ−Ｂ線およびＣ−Ｃ線に沿う断面形状を代表的に示したものにすぎないことが理解できる。
【００３３】
図６から明らかなように、補強材８は、直線部となる下辺部１ａや、上辺部１ｃのうちでも湾曲部２１ｃ以外の部分、さらには前後の縦辺部１ｄ，１ｅに相当する部分では、その幅寸法Ｗが最大となっている。これに対して、上辺部１ｃのうちでも湾曲部２１ｃや四隅のコーナー部１ｂ，１ｆ，１ｇ，１ｈに相当する部分では、両側の幅寸法Ｗが最も大きい部位から漸次その幅寸法Ｗが小さくなるように徐変しながら、つまりその幅寸法Ｗが連続的に減少するように変化しながら所定の相対的に小さな幅寸法Ｗで収束するようになっている。
【００３４】
結果として補強材８の幅寸法Ｗは、閉ループ状のウエザーストリップ１の四隅のコーナー部での曲率に応じて段階的に変化させてあり、湾曲部２１ｃのほか四隅のコーナー部１ｂ，１ｆ，１ｇ，１ｈに相当する部分のうち後側上部のコーナー部１ｂに相当する部分の幅寸法Ｗが最も小さく、次いで前側下部のコーナー部１ｆに相当する部分の幅寸法Ｗが小さく、さらに後側下部のコーナー部１ｈに相当する部分の幅寸法Ｗ、前側上部のコーナー部１ｇに相当する部分の幅寸法Ｗ、および湾曲部２１ｃの幅寸法Ｗの順となっている。
【００３５】
さらに、図３〜５から明らかなように、ウエザーストリップ１における取付基部３ひいては補強材８の長手方向での各部位ごとに当該補強材８の幅寸法Ｗが変化してはいても、補強材８は、取付基部３の長手方向に直交する断面において、車外側壁部５のうち底壁部６に近い部分または底壁部６との境界位置である一端８ａを始端位置としその底壁部６から遠い部分である他端８ｂを終端位置としていて、それらの始終端位置８ａ，８ｂ間距離である幅寸法Ｗをもって当該車外側壁部５の幅方向に延在していてる点ではどの部位でも共通している。
【００３６】
その上で、補強材８の幅寸法Ｗの大小にかかわらず、その補強材８の始端位置である一端８ａの位置は長手方向のどの部位でも一定（不変）として、補強材８の終端位置である他端８ｂの位置を取付基部３の幅方向で積極的に変化させることで各部位ごとに補強材８の幅寸法Ｗを変化させてある。
【００３７】
さらに、図２に示すように、湾曲部２１ｃを含む各コーナー部１ｂ，１ｆ，１ｇ，１ｈに相当する部分で取付基部３の底壁部６が内側となるようにウエザーストリップ１を曲げて当該コーナー部１ｂ，１ｆ，１ｇ，１ｈに忠実に追従させる場合、従来のウエザーストリップと同様に曲げによる圧縮力も引っ張り力も作用しない中立軸が存在することから、この中立軸と一致または近似するように補強材８の始端位置である一端８ａの位置を設定してある。
【００３８】
このように、ウエザーストリップ１の取付基部３の長手方向に延在している補強材８の幅寸法Ｗを長手方向での各部位ごとに積極的に変化させることで、例えば図２の下辺部１ａや縦辺部１ｄ，１ｅ等のいわゆる直線部に相当する部位では、十分な剛性あるいは真直性保持感を具備させることができる一方、湾曲部２１ｃを含む四隅のコーナー部１ｂ，１ｆ，１ｇ，１ｈに相当する部位では、ウエザーストリップ１を曲げて当該コーナー部１ｂ，１ｆ，１ｇ，１ｈに忠実に追従させる際の柔軟性を持たせることができるようになる。
【００３９】
しかも、補強材の一端８ａを曲げの中立軸と一致または近似するように設定してあるため、上記曲げの内側部分での長手方向での圧縮が緩和されることから、その曲げの内側部分のシールリップ４に「しわ」が発生するのを未然に防止して、シール性向上に寄与することができる。
【００４０】
ここで、図３〜５において、取付基部３の材料は例えばショア硬さＡ７０°程度の熱可塑性エラストマーのソリッド材または微発泡材とし、シールリップ４および補助リップ７の材料をショア硬さＡ５０°以下の熱可塑性エラストマーのソリッド材、または発泡前のショア硬さがＡ７０°以下の熱可塑性エラストマーの発泡材とする。熱可塑性エラストマーは、オレフィン系、スチレン系、エステル系、ウレタン系などのなかから適宜選択して用いることができるが、物性とコストの点からはオレフィン系熱可塑性エラストマーを用いることが望ましい。
【００４１】
この場合において、補強材８の材料は、ショア硬さ８０°以上の熱可塑性エラストマーとする。熱可塑性エラストマーの種類は取付基部３の材料と同じ種類のものであることが望ましい。
【００４２】
あるいは、補強材８の材料としてポリエチレン、ポリプロピレン、スチレン系樹脂（例えば、ＡＢＳ、ＡＥＳ、ＡＡＳ等）、ポリエステル、ポリアミドなどの各種熱可塑性樹脂を用いるこことができる。そのなかでも、物性とコストの点からポリプロピレンを用いることが望ましい。
【００４３】
また、屈曲性もしくは柔軟性を重視する場合には、補強材８の材料としてあえて取付基部３とは系統の異なる材料を選択して、熱融着させずに界面に自由度を持たせることも可能である。この場合において、寸法安定性を付与するために、炭酸カルシウム、タルク、クレイ、マイカ、ワラストナイトなどの各種無機系充填材を添加しても良い。また、耐衝撃性を付与するために、熱可塑性樹脂の種類に応じて相溶性に優れる各種のゴム成分を添加しても良い。
【００４４】
さらには、一層の軽量化を図るために発泡させても良い。ただし、発泡させることによって剛性が低下する可能性があるため、発泡させずにいわゆるソリッドで用いる場合と比べて剛性の高い材料を選択することが望ましい。
【００４５】
他方、ウエザーストリップ１としてゴム製のものとする場合には、取付基部３の材料を例えばショア硬さＡ７０°程度のＥＰＤＭ系ゴムのソリッド材、あるいは微発泡材とし、シールリップ４および補助リップ７の材料をＥＰＤＭ系ゴムのスポンジ材とする。
【００４６】
この場合において、補強材８の材料は、ショア硬さＡ８０°以上のＥＰＤＭ系ゴムとする。あるいは、補強材８の材料としてポリエチレン、ポリプロピレン、スチレン系樹脂（例えば、ＡＢＳ、ＡＥＳ、ＡＡＳ等）、ポリエステル、ポリアミドなどの各種熱可塑性樹脂を用いるこことができる。そのなかでも、物性とコストの点からポリプロピレンを用いることが望ましい。また、加硫槽にて加わる熱により熱可塑性樹脂が変形してしまうおそれがある場合には、熱変形温度および融点が高いポリアミドを用いると良い。
【００４７】
このようなウエザーストリップ１は、取付基部３およびシールリップ４が共に熱可塑性エラストマーである場合に、インサート成形または多層（多重）押出成形法により成形することができる。
【００４８】
インサート成形の場合には、例えば図７に示すように、第１押出機１２の口金１３から熱可塑性樹脂をもって補強材８を押出成形し、その後段の水槽１４にて冷却した後に補強材８を第２押出機１５の口金１６の背面側から供給し、その補強材８を囲繞するようにして取付基部３およびシールリップ４等を押出成形してウエザーストリップ１を一体成形する。なお、口金１６への補強材８の供給は第１引取機２０によって行われ、成形後のウエザーストリップ１の引き取りは第２引取機１８によって行われ、水槽１７にて冷却した後に裁断機１９により所定長さに裁断されて製品となる。
【００４９】
ここで、補強材８の幅寸法Ｗの制御は、口金１３の出口部に当該出口部の有効開口面積の一部を遮蔽するシャッターを設置し、そのシャッターを適宜スライド変位させてその出口部の有効開口面積を変化させるものとする。それと並行して、補強材８の断面積の変化に応じ第１引取機２０による引取速度を変化させることが望ましく、断面積が大きい場合には引取速度を遅くし、断面積が小さい場合には引取速度を速くする。その際、平均速度は口金１６での押出速度と一致するように設定しておくことが重要である。
【００５０】
また、補強材８の断面積の変化に応じて熱可塑性樹脂材料の供給量を順次変化させることも可能であり、その場合には第１押出機１２のスクリュー回転数を直接制御したり、口金１３の直前にいわゆる材料のストックタンクを設置し、断面積が小さいときにはストックタンクに余剰の材料を蓄え、断面積が大きいときにはストックタンクから不足する材料を供給して、材料ボリュームの調整を行うことになる。
【００５１】
また、多層押出成形の場合には、取付基部３およびシールリップ４のほか補強材８のそれぞれの異種材料を同時に押し出して所定の断面形状のウエザーストリップ１を成形する方法であり、従来から二重押出成形法あるいは三重押出成形法としてウエザーストリップの成形法としては公知である。
【００５２】
この場合においても、補強材８の幅寸法Ｗの制御は、例えば口金１３の内部に設置したスライダの位置を変化させて行うものとする。それと並行して、補強材８の断面積の変化に応じ材料の供給量を順次変化させることが望ましく、その場合には第１押出機１２のスクリュー回転数を直接制御したり、口金１３の直前にいわゆる材料のストックタンクを設置し、断面積が小さいときにはストックタンクに余剰の材料を蓄え、断面積が大きいときにはストックタンクから不足する材料を供給して、材料ボリュームの調整を行うことになる。
【００５３】
図８は本発明に係る自動車用ウエザーストリップの第２の実施の形態を示す図である。
【００５４】
図８から明らかなように、この第２の実施の形態ウエザーストリップ１は、取付基部３における車外側壁部５のうち車内側の面に露出するよう補強材２８を配置したものである。
【００５５】
また、図９は本発明に係る自動車用ウエザーストリップの第３の実施の形態を示し、この第３の実施の形態ウエザーストリップ１は、取付基部３における車外側壁部５のうち車内側および車外側のそれぞれの面に露出するよう補強材３８を配置したものである。
【００５６】
なお、これらの第２，第３の実施の形態において、取付基部３の長手方向において補強材８の幅寸法Ｗが変化する点は先の第１の実施の形態と同様である。
【００５７】
そして、図８に示した第２の実施の形態のウエザーストリップ１は、先に述べたインサート成形法のほか貼り合わせ成形法によって成形することができる。また、図９に示した第３の実施の形態のウエザーストリップ１は、先に述べた多層押出成形法によって成形することができる
貼り合わせ成形法とは、図１０の（Ａ）に示すように、並設した図示外の二つの押出機の一方から補強材２８を、他方の押出機から取付基部３およびシールリップ４等をそれぞれ押出成形し、それらを所定のガイド治具により互いに接近する方向に誘導しながら同図（Ｂ）に示すように両者熱融着させるものとする。この場合において、補強材２８と取付基部３とが互いに熱融着可能な材料であることが必須であり、例えばポリプロピレンとオレフィン系熱可塑性エラストマーとの組み合わせ、あるいはポリアミドと変性ポリオレフィンを含有する接着性オレフィン系熱可塑性エラストマーとの組み合わせが考えられる。
【００５８】
図１１は本発明に係る自動車用ウエザーストリップの第４の実施の形態を示し、この第４の実施の形態ウエザーストリップ１は、図３と比較すると明らかなように、補強材４８の一端側を底壁部６側に延長して、その補強材４８の断面形状を取付基部３と同様に略Ｌ字状のものとしてある。
【００５９】
図１２は本発明に係る自動車用ウエザーストリップの第５の実施の形態を示し、この第５の実施の形態ウエザーストリップ１は、図８と比較すると明らかなように、補強材５８の一端側を底壁部６側に延長して、その補強材５８の断面形状を取付基部３と同様に略Ｌ字状のものとしてある。
【００６０】
図１１に示した第４の実施の形態のウエザーストリップ１は、先に述べたいくつかの成形法のうち、例えばインサート成形法あるいは多層押出成形法によって成形することができる。同様に、図１２に示した第５の実施の形態のウエザーストリップ１は、例えばインサート成形法あるいは貼り合わせ成形法によって成形することができる。
【００６１】
そして、これらの第４，第５の実施の形態のウエザーストリップ１では、先の第１〜第３の実施の形態と異なり、補強材４８，５８の一端が曲げの中立軸と一致または近似しているという条件を満たさなくなるが、それ以外の点では先の各実施の形態のものと同様の効果が得られる。特にこの場合、補強材５８の一端側を底壁部６側に延長しているため、取付基部３はより確実に補強され、取付作業性が安定する。
【００６２】
ここで、上記各実施の形態では、図１に示したように自動車の車体側開口部であるフロントドア開口部Ｏｐに適用されるウエザーストリップ１について説明したが、必要に応じて車体側開口部開閉体、すなわちドアサッシュを含むフロントドアＤの周縁に装着されるウエザーストリップにも同様に適用することができる。
【符号の説明】
【００６３】
１…ウエザーストリップ
３…取付基部
４…シールリップ（シール部）
５…車外側壁部
６…底壁部
８…補強材
８ａ…補強材の一端（始端位置）
８ｂ…補強材の他端（終端位置）
２８…補強材
３８…補強材
４８…補強材
５８…補強材
Ｗ…補強材の幅寸法
【図１】
2010228571.tif 000003
【図２】
2010228571.tif 000004
【図３】
2010228571.tif 000005
【図４】
2010228571.tif 000006
【図５】
2010228571.tif 000007
【図６】
2010228571.tif 000008
【図７】
2010228571.tif 000009
【図８】
2010228571.tif 000010
【図９】
2010228571.tif 000011
【図１０】
2010228571.tif 000012
【図１１】
2010228571.tif 000013
【図１２】
2010228571.tif 000014